(57)【要約】【課題】コンクリートブロックで被覆された護岸表面を緑化するために用いられる護岸植生用マットおよび護岸緑化工法を提供すること。【解決手段】護岸植生用マットは、裏面側から表面側に向かって、土砂の吸出し防止機能を有する不織布、人工土壌の層、種子層、植生紙及び／又は綿状体の層、網状体層の各層がこの順に積層し一体化した植生マットの表面側にさらにジオグリッドが被覆されており、前記植生マットの網状体網目にはロープが挿入されており、そのロープとジオグリッドの格子材とは接続具によって連結された構造をなしている。また護岸緑化工法は、コンクリートブロックの施された護岸上に覆土を施してから上記植生マットおよびジオグリッドで被覆し、かつ両者を接続具で連結する工法である。【選択図】    図１
2004278255.tif 000002
【特許請求の範囲】
【請求項１】
裏面側から表面側に向かって、土砂の吸出し防止機能を有する不織布（ａ）と、人工土壌の層（ｂ）と、種子層（ｃ）と、植生紙（ｄ）及び／又は綿状体（ｅ）と、柔軟網状体（ｆ）とからなる各層がこの順に積層し一体化してなる植生マットの表面側にさらにジオグリッドが被覆されており、前記柔軟網状体（ｆ）にはその網目を縫って所定間隔毎に長手方向に伸びるロープが複数本挿入されており、さらにそのロープはジオグリッドの格子材と接続具によって連結されていることを特徴とする護岸植生用マット。
【請求項２】
前記植生マットは、縫い糸で一体化されていることを特徴とする請求項１記載の護岸植生用マット。
【請求項３】
前記のジオグリッドは、各格子の交点が溶融一体化されているプラスチック製の格子状物であることを特徴とする請求項１または２に記載の護岸植生用マット。
【請求項４】
前記の接続具が、Ｃリングであることを特徴とする請求項１〜３に記載の護岸植生用マット。
【請求項５】
護岸のコンクリートまたはコンクリートブロック表面に覆土を施し、ついでその上を、裏面側から表面側に向かって、土砂の吸出し防止機能を有する不織布（ａ）と、人工土壌の層（ｂ）と、種子層（ｃ）と、植生紙（ｄ）及び／又は綿状体（ｅ）と、柔軟網状体（ｆ）とからなる各層がこの順に積層し一体化した構造をなしており、かつ前記柔軟網状体（ｆ）にはその網目を縫って所定間隔毎に長手方向に伸びるロープが複数本挿入されてなる植生マットで被覆し、さらにその表面をジオグリッドで覆い、上記植生マットに設けられたロープをジオグリッドの格子材と接続具によって連結することを特徴とする護岸緑化工法。
【発明の詳細な説明】
【０００１】
【発明の属する技術分野】
本発明は、河川等の護岸を緑化するために用いる植生マットおよびそれを用いた護岸の緑化工法に関する。
【０００２】
【発明の技術的背景】
現在多くの河川では、治水機能を高めるために、その川岸はコンクリートブロックで被覆されている。コンクリートブロック表面が露出したその護岸は、周囲の景観を損なうばかりでなく、自然の生態系にも影響を及ぼすと言われている。そこで、環境保護の観点から、護岸の緑化が強く求められて来ている。
【０００３】
実公平３−２０３４８号公報には、ジュート繊維フェルト、育成基盤および種子付布を一体的に縫着した植生マットが記載され、それを岩盤に直接張りつける使用方法が開示されている。また、登録実用新案第３００７４９９号公報には、護岸ブロック上に盛土し、かつ植生マットを敷設し、その盛土斜面に「コ」の字形の網状体を固定した構造体が記載されている。さらに特開平１１−１５８８７４号公報には、護岸斜面上で直接、箱状ないし袋状の網状体の中に土を詰めた構造体を構築する工法が記載されている。
【０００４】
前記の構造体または工法は岩盤や護岸の緑化に有効な方法ではあるが、護岸に実際に植物が活着し育成する迄にはかなりの月日が必要であって、その間に覆土が流水や波浪で流出したり、植生マット本体が流水や波浪の抵抗によって滑落や移動を起こしたり、さらには背面土砂が流出する事態が発生することを避けるためには一層の改良が必要である。そこで、護岸の緑化に効果的であって、かつより簡易化された植生マットおよび工法の開発が求められている。
【０００５】
【特許文献１】
実公平３−２０３４８号公報
【特許文献２】
登録実用新案第３００７４９９号公報
【特許文献３】
特開平１１−１５８８７４号公報
【０００６】
【発明が解決しようとする課題】
そこで本発明は、コンクリートやコンクリートブロックで被覆された河川等の護岸表面を緑化するために用いられる護岸植生用マットおよび護岸緑化工法の提供を目的にする。
【０００７】
【課題を解決するための手段】
すなわち本発明は、裏面側から表面側に向かって、土砂の吸出し防止機能を有する不織布（ａ）と、人工土壌の層（ｂ）と、種子層（ｃ）と、植生紙（ｄ）及び／又は綿状体（ｅ）と、柔軟網状体（ｆ）とからなる各層がこの順に積層し一体化してなる植生マットの表面側にさらにジオグリッドが被覆されており、前記柔軟網状体（ｆ）にはその網目を縫って所定間隔毎に長手方向に伸びるロープが複数本挿入されており、さらにそのロープはジオグリッドの格子材と接続具によって連結されていることを特徴とする護岸植生用マットに関する。
【０００８】
前記植生マットは、縫い糸で一体化されていることが好ましい。また前記のジオグリッドとしては、各格子の交点が溶融一体化されているプラスチック製の格子状物が好ましく、また前記の接続具としては、Ｃリングの使用が好ましい。
【０００９】
また本発明は、護岸のコンクリートまたはコンクリートブロック表面に覆土を施し、ついでその上を、裏面側から表面側に向かって、土砂の吸出し防止機能を有する不織布（ａ）と、人工土壌の層（ｂ）と、種子層（ｃ）と、植生紙（ｄ）及び／又は綿状体（ｅ）と、柔軟網状体（ｆ）とからなる各層がこの順に積層し一体化した構造をなしており、かつ前記柔軟網状体（ｆ）にはその網目を縫って所定間隔毎に長手方向に伸びるロープが複数本挿入されてなる植生マットで被覆し、さらにその表面をジオグリッドで覆い、上記植生マットに設けられたロープをジオグリッドの格子材と接続具によって連結することを特徴とする護岸緑化工法に関する。
【００１０】
【発明の具体的説明】
本発明に係わる護岸植生用マットは、植生マットの表面側にジオグリッドが被覆され、かつ両者が一体化した構造をなしている。次に図面を参照してその構造をより詳細に説明する。
【００１１】
図１は、その護岸植生用マットの一例を示す概略の断面図、図２はその斜視図であって表面側に設けられたジオグリッドの一部を省略して示してある。護岸植生用マット１は、積層構造の植生マット２の上にジオグリッド３が全面的に被覆されており、植生マット２の表面に固定されているロープ４とジオグリッド３の格子材とは接続具５を介して適宜の位置で連結されることで植生マット２とジオグリッド３とが一体化した構造をなしている。
【００１２】
植生マット２の積層構造は、図１に示されているように、まず裏面側から表面側に向かって、土砂の吸出し防止機能を有する不織布（２ａ）、人工土壌の層（２ｂ）、種子層（２ｃ）、植生紙（２ｄ）、綿状体（２ｅ）および柔軟網状体（２ｆ）の各層がこの順に積層している。図１の植生マットにおいては、植生紙（２ｄ）と綿状体（２ｅ）の層を共に有する構造となっているが、使用個所によってはいずれか一方の層のみとしてもよい。
【００１３】
裏面を形成する土砂の吸出し防止機能を有する不織布（２ａ）は、護岸のコンクリートまたはコンクリートブロックの表面上、すなわち植生マット２の裏面側に配置した覆土が河川の水によって吸い出され、流失する事態を防止するために設けられており、繊維密度が高くかつ厚手の不織布で形成されている。厚さとしては、０．５〜２５ｍｍが適当である。その一例として、自然分解され易い天然繊維から形成され、高い繊維密度を持ったフェルト、例えばジュートフェルトが好適である。この不織布（２ａ）の層は柔軟性を有しているので、施工時にその下側に配置される覆土との密着性が良好である。
【００１４】
人工土壌の層（２ｂ）は、種子を発芽させ生育させるために用意された土壌の層で、ピートモスやバーミキュライト等の客土と肥料とを適宜の割合で配合して、保水性と保肥性とを保持するように形成されている。土壌の厚さは、種子が発芽し生育できる環境が保たれる程度であればよく、０．２〜２．０ｍｍが適切である。
【００１５】
種子層（２ｃ）には、緑化用植物の種子が適宜間隔で配されており、人口土壌の層の上に種子を直接播くことによってこの層を形成しても良いし、生分解性材料の紙や不織布に担持させた種子シートによって形成させてもよい。種子の種類やその量は適宜選択すればよく、この種子から生育した植物は、護岸の自然植生が回復するまでの期間の緑化を補うものである。
【００１６】
植生紙（２ｄ）及び／又は綿状体（２ｅ）は、種子が人工土壌の層（２ｂ）に接するように配置するものであり、土壌や種子が流出したり飛散したりすることのないように、あるいは生育中の植物の根を保護するために設ける層である。綿状体（２ｅ）は、比較的に薄手の繊維層から形成され、例えば０．５〜１０ｍｍの厚さを有している。覆土の吸出し流出は、植物の生育および根の成長によってある程度防止できるが、植物が生育するまでの間はこの綿状体（２ｅ）層の存在によって吸出し防止を図ることができる。環境面から考え、綿状体としては自然分解され易い天然繊維綿を使用するのが好ましく、その上植物の生育を促進する栄養素を含有していればさらに好ましく、例えばジュート綿が好適に使用できる。
【００１７】
柔軟網状体（２ｆ）は、植生マット２の表面側に位置してその形態を保護するとともに、ロープを挿入できる程度の網目を有するものである。糸の材質として合成樹脂繊維、例えば耐久性のよいポリエチレン繊維や生分解性に優れた脂肪族ポリエステル繊維、あるいは生分解性に優れた天然繊維のいずれであってもよい。柔軟網状体としては、例えばネット、織布、編物などを使用することができる。例えば、ポリエチレン製ラッセルは好適な柔軟網状体である。
【００１８】
この柔軟網状体（２ｆ）の層は、先に説明した綿状体（２ｅ）の層と共に植物が生育するまでの間、植生マット中に存在する土壌、種子、肥料分等が流水や波浪によって流出するのを防止する効果も併せ持っている。特に寒冷地では、種子の発芽に数ヶ月の期間を要することもまれではないので、そのような長期間にも高い効果を発揮する。植生マット２が冠水した時には、不織布（２ａ）層、植生紙（２ｄ）、綿状体（２ｅ）層および柔軟網状体（２ｆ）層とによって、その中からの土壌や種子の流失を防ぐことができる。
【００１９】
柔軟網状体（２ｆ）の層には、所定間隔毎に、例えば２０ｃｍ毎に長手方向に伸びるロープ４が複数本配置されており、そのロープ４は柔軟網状体（２ｆ）の網目を適宜間隔で縫うように柔軟網状体（２ｆ）に挿入されている。ロープ４は、網目によって柔軟網状体（２ｆ）に固定されているので、植生マットを巻き上げたときには柔軟網状体（２ｆ）と同じ方向に巻き込まれている。従って、ロープ４を持ち上げれば、後述するように植生マット２全体が一体化しているので、植生マット２全体を持ち上げたり、移動させることができる。
【００２０】
土砂の吸出し防止機能を有する不織布（２ａ）の層からから柔軟網状体（２ｆ）の層に到るまでの各層を前記した順に積層した後、適宜の手段でそれらを一体化する。例えば図１および２では、所定間隔毎に、例えば約１０ｃｍ間隔で、植生マット２の幅方向に向かって、縫い糸６を用いて縫着していくことによって植生マット２の全体が一体化される。この縫い糸等による一体化手段によって各層が分離したり、また土壌がこぼれ出たりすることを防止することができる。この植生マット２は、全体が柔軟であることから、施工時にその下に配置された覆土との密着性を良好に保つことができる。
【００２１】
ジオグリッド３は、方形、長方形、菱形等の格子目を形成し、各交点が溶融一体化した構造を持ったプラスチック製の広幅で長尺の格子体である。この格子体は、十分な耐久性と引張強度とを有し、植物の生育に適しかつ生育を妨げない程度の大きさの開口部すなわち格子目が形成されていれば、その構造は特に限定されない。そして不慮の破断によって各格子材がばらけてルーズにならないことが望ましい。
【００２２】
図３は、ジオグリッドの一例を斜視図で示したが、軸径約３ｍｍのポリエチレンまたはポリプロピレン製縦軸材および横軸材が６ｃｍ×６ｃｍの方形格子目を形成しており、その開口部は植物の生育に適した大きさになっている。また、縦軸材および横軸材の交点が融着していることから、縦方向および横方向に高い引張強度を有すると共に、格子材が破断してもばらけることはない。その例として、二軸方向に延伸処理されたポリエチレン製のジオグリッドである、三井化学産資株式会社製品  商品名テンサーＧＭ４を挙げることができる。このようなジオグリッド３によって、増水時の流水から植物の流出を防ぎ、河岸の固定を図ることができる。
【００２３】
植生マット２の表面側に設けられたロープ４とジオグリッド３の縦軸材または横軸材とは、図１および図２に示したように接続具５によって連結されている。接続具５としては、例えばＣリングが好適に用いられるが、コイル状物やロープ等の別の接続具を用いてもよい。接続具５の取り付け位置は任意でよく、例えばロープ４に沿って１５ｃｍ間隔毎に配置すればよい。
【００２４】
このように本発明に係わる護岸植生用マット１は、植生マット２の表面側にジオグリッド３が被覆一体化しているので、広い面積の植生マット全体がジオグリッドによって全面的に保護される。また護岸植生用マット１は、その下に配置されている覆土とのなじみがよく、また生育する植物を良好に保持するので、コンクリートやコンクリートブロックで覆われた護岸の緑化に好適に使用できる。
【００２５】
次に本発明に係わる護岸の緑化工法について図を参照して説明する。
図４は、緑化工法を説明するために、施工後の構造を概略的に示した護岸の斜視図であって、積層構造がわかるように部分的に各構成要素を省略して示している。河川の護岸１０は、予めコンクリートまたはコンクリートブロック１１で被覆されており、それだけで治水上の十分な機能を有している。まずその表面に植物が生育していくために必要な覆土１２が施されており、将来自然植生が可能な環境を整えている。覆土１２は、直接土壌を散布堆積させてもよいが、土嚢を密に配置する方法の方が施工上簡便であるし、土壌の流出を避けることができる。
【００２６】
覆土１２の上に先に説明した積層構造の植生マット２を被覆し、さらにその表面をジオグリッド３で覆う。土砂の吸出し防止機能を有する不織布（２ａ）層は覆土１２とのなじみが良好であることから、植生マット２の裏面は覆土１２と密着する。植生マット２の表面に固定されたロープ４とジオグリッド３の格子材とを接続具５を用いて適宜の間隔で連結する。植生マット２およびジオグリッド３は、施工現場毎に使用する材料の大きさや形状等がまちまちであるので、接続具、例えばＣリングによる連結は、施工現場で直接工具を用いて行なう方法が好都合である。
【００２７】
このようにして、植生マット２はジオグリッド３で全面的に覆われた構造になるので、水流の上昇や流水によって植生マット２が浮上したり、流出するのを防止することができると共に、自然植生が本格的に覆土から発生してくる環境を整えることができる。
【００２８】
ジオグリッド３の端部あるいは中央の必要箇所にアンカーボルト等をコンクリートまたはコンクリートブロックへ打ちこむことによって、ジオグリッド３の位置固定を図ることができる。また、アンカーボルト等による固定を図らない場合や、ジオグリッド３および植生マット２の河川側端部では、ジオグリッド３をコンクリートまたはコンクリートブロック１１と覆土１２との間に挟み込む方法を採用すると、覆土１２および植生マット２が袋状に包み込まれる形状になり、覆土や植物が流出しにくくなる。広い面積をこの工法で施工する場合、植生マット２は互いに重ね合せることで連続させることができ、ジオグリッド３同士の接続は、ロープ、針金、コイル、棒状体等の任意の手段によって容易に行なうことができる。
【００２９】
本工法で用いる植生マットもジオグリッドも軽量であることから、施工性がよく、効率的にコンクリートまたはコンクリートブロックで覆われた護岸を植生マットで被覆することができる。施工後、植生マットから種子が発芽し、自然植生が回復するまでの間、あるいはその後、その植生マットによって流水や波浪から植生環境を保護することができ、従来覆土や植生が困難と言われてきた河川護岸を緑で覆うことができる。
【００３０】
【発明の効果】
本発明に係わる護岸植生用マットは、植生マットとジオグリッドとが接続具を介して一体化していることから、例え冠水があった場合でも植生マットが移動することなく所定の位置に固定され、また覆土が流出するのを防止することができる。また本発明に係わる護岸緑化工法によると、良好な施工性および高い施工効率で実施することができ、特に流水や波浪抵抗の大きい河川護岸への施工に好適である。従って、自然植生が回復するまでの間、護岸の緑化を簡易的に図ることができ、自然環境の保護に寄与する。
【図面の簡単な説明】
【図１】本発明に係わる護岸植生用マットの一例を示す概略の断面図である。
【図２】本発明に係わる護岸植生用マットの一例を示す概略の斜視図であって、一部を省略して示してある。
【図３】本発明で用いたジオグリッドの一例を示す斜視図である。
【図４】本発明に係わる護岸緑化工法を説明するために、施工後の構造を概略的に示した護岸の斜視図であって、部分的に各構成要素を省略して示している。
【符号の説明】
１    護岸植生用マット
２    植生用マット
２ａ    土砂の吸出し防止機能を有する不織布（ａ）
２ｂ    人工土壌の層（ｂ）
２ｃ    種子層（ｃ）
２ｄ    植生紙（ｄ）
２ｅ    綿状体（ｅ）
２ｆ    網状体（ｆ）
３    ジオグリッド
４    ロープ
５    接続具
６    縫い糸
１０    川岸
１１    コンクリートブロック
１２    覆土
【図１】
2004278255.tif 000003
【図２】
2004278255.tif 000004
【図３】
2004278255.tif 000005
【図４】
2004278255.tif 000006